(57)【特許請求の範囲】
【請求項１】
蝋燭の灯火の明るさとゆらぎを再現する照明装置において、
再現対象となる灯火における炎の中心から周辺の色度分布に対応する複数の発光色を有し、各発光色を前記炎の色度分布に合わせて中心から外周に向けて配置した複数の発光体と、
前記発光体の各々に供給される電源に一定の周波数を与える定則周波数発生手段と、
前記灯火の波長ごとの放射エネルギの変化を予め測定することによって得られた放射エネルギ変化データを記憶する記憶部と、
この記憶部に記憶された前記放射エネルギ変化データに基づき、大きな放射エネルギ変化に対応する少なくとも一種類の発光色の発光体を指定し、この発光体に供給される電源の周波数を所定の可視周波数に切り換え、かつ、所定の時間間隔及び持続時間で明暗を繰り返させる変則周波数発生手段と、
を有することを特徴とする蝋燭灯火を再現する照明装置。
【請求項２】
前記変則周波数発生手段は、放射エネルギ変化データに基づいて予め設定された可視周波数の範囲内，所定の時間間隔の範囲内及び所定の持続時間の範囲内で、前記可視周波数，前記時間間隔及び前記持続時間を変化させることを特徴とする請求項１に記載の蝋燭灯火を再現する照明装置。
【請求項３】
前記灯火が和蝋燭で、赤系，青系又は緑系及び黄系又は橙系の発光色の発光体を有し、前記変則周波数発生手段は、前記和蝋燭の放射エネルギ変化データに基づき、少なくとも前記赤系の発光体の少なくとも一部について周波数を切り換えることを特徴とする請求項１又は２に記載の蝋燭灯火を再現する照明装置。
【請求項４】
前記時間間隔が３０秒〜５０秒の範囲を中心とする１０秒〜９０秒の範囲内で、前記周波数が７Ｈｚ〜１３Ｈｚであることを特徴とする請求項３に記載の蝋燭灯火を再現する照明装置。
【請求項５】
前記定則周波数発生手段は、少なくとも一つの発光色の発光体の少なくとも一部に対して、７Ｈｚ〜１３Ｈｚの周波数を発生させることを特徴とする請求項３又は４に記載の蝋燭灯火を再現する照明装置。
【請求項６】
蝋燭の灯火の明るさとゆらぎを、発光体を用いて再現する再現方法において、
再現対象となる灯火における炎の中心から周辺の色度分布に対応する複数の発光色を有する複数の発光体を選択するとともに、大きな放射エネルギ変化に対応する少なくとも一つの発光色の発光体を指定し、当該所定の発光体における放射エネルギ変化の時間間隔，持続時間及び周波数を選択する工程と、
各発光色の前記発光体を、前記炎の色度分布に合わせて中心から外周に向けて配置する工程と、
前記発光体の各々に供給される電源に一定の周波数を与える工程と、
前記所定の発光体について、前記時間間隔で前記所定の発光色の周波数を所定の可視周波数に切り換え、前記持続時間の間明暗を繰り変えさせる工程と、
を有することを特徴とする蝋燭灯火の再現方法。
【発明の詳細な説明】
【技術分野】
【０００１】
本発明は、蝋燭の灯火の明るさとゆらぎを高い再現性で再現できる照明装置及び再現方法に関する。
【背景技術】
【０００２】
蝋燭の灯火は、人々に安らぎと癒しを与える効果があることから、近年注目されている。
例えば、特許文献１，２には、蝋燭のようにゆらぎ動作をする照明装置が提案されている。これら文献に記載されている照明装置は、光源の光量を蝋燭の炎がゆらぐように変化させるもので、いずれも予め光量の変動データを記憶したメモリを備え、そのメモリから読み出したデータに基づいて光源を駆動制御するものである。
【先行技術文献】
【特許文献】
【０００３】
【特許文献１】特許第２９６８４８３号公報
【特許文献２】特許第３４０２０１３号公報
【発明の開示】
【発明が解決しようとする課題】
【０００４】
ところで、蝋燭灯火と同等の安らぎと癒しの効果を人工の照明装置から得るには、当該照明装置の照明の明るさとゆらぎが蝋燭灯火に限りなく近いものである必要がある。このことは、室内に置いた観葉植物が偽物であることが判明した瞬間から、その癒しの心理的効果が半減するという、日常よくある経験からも明らかである。しかし、上記文献に記載の照明装置は、ゆらぎを再現することで実際の蝋燭に近い灯りを再現できるものの、自然の灯りには未だほど遠いものである。特に、和蝋燭のように独特の照明特性を持つ灯火については、上記文献に記載の技術では再現することが困難であるという問題がある。
本発明は上記の問題に鑑みてなされたもので、和蝋燭のような独特の照明特性を有する灯火であっても、高い再現性で再現できる照明装置及び再現方法の提供を目的とする。
【課題を解決するための手段】
【０００５】
本発明の発明者が鋭意研究を行った結果、蝋燭灯火をより本物らしく再現するには、これら灯火の色度と同一又は類似の色度を実現する複数の発光体を組み合わせ、かつ、照明特性に影響を与える少なくとも一部の発光色の発光体について発光の周波数を変化させればよいことに想到した。
このことは、たとえば、次のような観察結果により裏付けられる。蝋燭の炎を注意深く観察すると、各部位の温度に応じて発光色も異なる、つまり、分光放射エネルギの空間分布に特定のパターンが存在することがわかる。すなわち、炎の周辺部は、温度が低いため赤く（光の波長が長く）、中央部は温度が高いため青く（波長が短く）、中間部は温度が中程度であるため黄色く（波長が中程度に）見える。さらに、それぞれの部位ごとにゆらぎの速さ、すなわち、周波数も異なる。つまり、本物の蝋燭の炎は、放射エネルギ強度と分光放射エネルギ分布の両方が絶えず変化している。
さらに、観察により、蝋燭は、上記のような継続した定常の変化に加え、時折、ゆっくりしたゆらぎを生じることがわかる。このゆらぎは、１０Ｈｚ程度を中心とした、７Ｈｚから１３Ｈｚ程度の周波数を有する。また、このゆらぎは、燃焼に伴う対流などにより生じる内因性のものであり、既往の技術が模擬しているような、風によって生じる外因性のものではない。以上のゆらぎの要素の全てを忠実に再現して初めて本物の灯りと見間違えるほど再現性の高い照明装置が再現できる。
具体的に請求項１に記載の発明は、蝋燭の灯火の明るさとゆらぎを再現する照明装置において、再現対象となる灯火における炎の中心から周辺の色度分布に対応する複数の色度を有し、各色度を前記炎の色度分布に合わせて中心から外周に向けて配置した複数の発光体と、前記発光体の各々に供給される電源に一定の周波数を与える定則周波数発生手段と、前記灯火の波長ごとの放射エネルギの変化を予め測定することによって得られた放射エネルギ変化データを記憶する記憶部と、この記憶部に記憶された前記放射エネルギ変化データに基づき、大きな放射エネルギ変化に対応する少なくとも一種類の色度の発光体を指定し、この発光体に供給される電源の周波数を所定の可視周波数に切り換え、かつ、所定の時間間隔及び持続時間で明暗を繰り返させる変則周波数発生手段とを有する構成としてある。
この場合、請求項２に記載するように、前記変則周波数発生手段は、放射エネルギ変化データに基づいて予め設定された可視周波数の範囲内，所定の時間間隔の範囲内及び所定の持続時間の範囲内で、前記可視周波数，前記時間間隔及び前記持続時間を変化させるようにしてもよい。
【０００６】
本発明の好適な実施形態として、和蝋燭の灯りの再現が挙げられる。前記灯火が和蝋燭の場合、和蝋燭の炎の色度は、例えば、赤系，青系又は緑系及び黄系又は橙系の発光色の組み合わせで再現することができる。そのことから、請求項３に記載するように、このような三色〜五色の発光色を有する発光体を準備する。
さらに、和蝋燭を観察することで得られた放射エネルギ変化データ（灯りの周波数の変化，放射熱量の変化，光度の変化，変化の周期及び変化の持続時間を含むデータ）に基づき、前記変則周波数発生手段によって、少なくとも前記赤系の発光体の少なくとも一部について周波数を切り換える処理を行うようにするとよい。この場合、周波数の切り換えを行う時間間隔は、請求項４に記載するように３０秒〜５０秒の範囲を中心（コア）とする１０秒〜９０秒の範囲内とし、前記周波数は前記周波数が７Ｈｚ〜１３Ｈｚとするとよい。
なお、請求項５に記載するように、和蝋燭の灯火を再現しようとする場合は、前記定則周波数発生手段は、少なくとも一つの発光色の発光体の少なくとも一部に対して、７Ｈｚ〜１３Ｈｚの周波数を発生させるようにしてもよい。この定則周波数の範囲は、今回、和蝋燭の観察により、和蝋燭を特徴づける周波数帯域として見出して特定するものである。
【０００７】
また、本発明の再現方法は、請求項６に記載するように、蝋燭の灯火の明るさとゆらぎを、発光体を用いて再現する再現方法において、再現対象となる灯火における炎の中心から周辺の色度分布に対応する複数の発光色を有する複数の発光体を選択するとともに、大きな放射エネルギ変化に対応する少なくとも一つの発光色の発光体を指定し、当該所定の発光体における放射エネルギ変化の時間間隔，持続時間及び周波数を選択する工程と、各発光色の前記発光体を、前記炎の色度分布に合わせて中心から外周に向けて配置する工程と、前記発光体の各々に供給される電源に一定の周波数を与える工程と、前記所定の発光体について、前記時間間隔で前記所定の発光色の周波数を所定の可視周波数に切り換え、前記持続時間の間明暗を繰り変えさせる工程とを有する方法である。
【発明の効果】
【０００８】
本発明によれば、蝋燭灯火について、再現性の高い照明装置を得ることができる。また、放射エネルギ変化データに基づく範囲内で周波数や時間間隔、変化の持続時間を不規則に変化させることで、より蝋燭灯火に近い照明装置を得ることができる。
【発明を実施するための最良の形態】
【０００９】
以下、本発明の好適な実施形態を、図面を参照しながら詳細に説明する。
図１（ａ）は、本発明の照明装置の一実施形態にかかり、その全体構成を説明するブロック図である。
［装置構成］
照明装置１は、異なる発光色を有する複数種類（この実施形態では三種類）の発光体２１，２２，２３と、この発光体２１，２２，２３に供給される電源に一定の周波数（Ｈｚ）（一秒間の変化の回数（cycle/sec））を付与する定則周波数発生部３と、この定則周波数発生部３から付与された周波数を所定の可視周波数に切り換える処理を行う変則周波数発生部４と、この変則周波数発生部４によって切り換えられた周波数を、予め指定された発光体２１，２２，２３のいずれかに付与する切換部６と、予め計測された灯火の放射エネルギ変化データ等が記憶された記憶部５とから概略構成される。
【００１０】
発光体２１，２２，２３としては、それ自体が異なる発光色で発光するＬＥＤを用いることができ、その組み合わせによって灯火の色度を実現できる複数種類（この実施形態では三種類）の発光色のものを準備する。準備する発光体２１，２２，２３のそれぞれの数は、一つであってもよいが、複数個ずつとしてその配置を工夫することで、灯火の再現性を高くすることができる。
【００１１】
図１（ｂ）に、照明装置１における発光体２１，２２，２３の配置例を示す。
発光色の異なる発光体２１，２２，２３は、再現しようとする灯火の灯りに可能な限り近づくように配置するのが好ましい。
図１（ｂ）に示す例は、和蝋燭の灯火を再現しようとするもので、和蝋燭の炎の形に合わせて、後述する三つの発光色（赤系、橙系、青系）の発光体２１，２２，２３を配置している。この例では、赤系の発光体２１を炎の外縁から上方にかけて配置し、青系の発光体２３を和蝋燭の芯周辺に相当する部分に配置する。橙系の発光体２２は、発光体２１と発光体２３との間に配置する。また、青系の発光体２３の一部を、橙系の発光体２２の一部に割り込ませる形で配置し、橙系の発光体２２の一部を、赤系の発光体２１の一部に割り込ませる形で配置する。このようにすることで、実際の和蝋燭の分光放射エネルギの空間分布にきわめて近い構成ができる。
【００１２】
上記構成の照明装置１では、三種類の発光体２１，２２，２３のそれぞれに、定則周波数発生部３で発生させられた一定の周波数が割り当てられる。各々の発光体２１，２２，２３について、発光体２１，２２，２３のそれぞれの数が複数の場合は、一部について異なる周波数を割り付けるようにしてもよい。なお、定則周波数発生部３で発生させられる周波数には、周波数が０のもの及び∞のものが含まれる。また、定則周波数発生部３で発生させられる周波数の大きさは特に限定されず、明暗の変化が人の目で認識できるもの及び認識できないものの双方を含む。
【００１３】
変則周波数発生部４は、発光体２１，２２，２３のうち、記憶部５に記憶されたデータに基づいて指定された発光体（例えば発光体２１）について、定則周波数発生部３で割り当てられた周波数を可視周波数（１Ｈｚ〜１５Ｈｚ程度、好ましくは７Ｈｚ〜１３Ｈｚ程度）に切り換える処理を行う。当該発光体（例えば発光体２１）が複数個設けられている場合において可視周波数への切り換えは、前記発光体の全部であってもよいしその一部であってもよい。また、切り換えの処理は、記憶部５に予め設定された時間間隔で、かつ、記憶部５に予め設定された持続時間行われる。周波数が切り換えられた発光体（例えば発光体２１）では、記憶部５により指定された周波数で前記持続時間の間明暗を繰り返すが、この明暗は、ＯＮ／ＯＦＦの繰り返しであってもよいし、明度の高低の繰り返しであってもよい。
【００１４】
切換部６は、定則周波数発生部３で発生させられた周波数及び変則周波数発生部４で切り換えられた周波数が、記憶部５によって指定された発光体２１，２２，２３のそれぞれに送信されるように、回路の切換を行う。
【００１５】
図２は、定則周波数発生部３及び変則周波数発生部４の作用を説明するためのグラフである。
図２（ａ）に示すように、定則周波数発生部３では、発光体２１，２２，２３のそれぞれについて、一定の周波数を発生させて割り付ける。発生させる周波数は、単一の周波数からなる直線状のものであってもよいし、周期の異なる複数の周波数を組み合わせてなる波状のもの（図２（ａ）中一点鎖線で示す）であってもよい。
【００１６】
図２（ｂ）に示すように、変則周波数発生部４では、記憶部５によって指定された一つ又は複数の発光体（例えば発光体２１）について、定則周波数発生部３で割り付けられた周波数を可視周波数に切り換える処理を行う。この処理は、記憶部５によって指定された時間間隔ｔ２，ｔ４，ｔ６・・・及び持続時間ｔ１，ｔ３，ｔ５・・・で行われる。なお、時間間隔ｔ２，ｔ４，ｔ６・・・及び持続時間ｔ１，ｔ３，ｔ５・・・は、同一（ｔ２＝ｔ４＝ｔ６＝・・・，ｔ１＝ｔ３＝ｔ５＝・・・）であってもよいし、記憶部５に記憶された各々の許容時間の範囲内で異なるものとしてもよい。
また、変則周波数発生部４で発生させる可視周波数は、前記したように好ましくは７Ｈｚ〜１３Ｈｚの範囲内であるが、時間間隔ｔ２，ｔ４，ｔ６ごとの可視周波数は、この範囲内で同一の大きさのものとしてもよいし、異なる大きさのものとしてもよい。さらに、発生させる可視周波数は、矩形形のものであってもよいが、図２（ｂ）に示すような山形のものとするのが好ましい。
【００１７】
［放射エネルギ変化データ］
定則周波数発生部３により発生させられる周波数、変則周波数発生部４で発生させられる周波数，発生のタイミング及び持続時間，対象となる発光体等を決定する放射エネルギ変化データは、再現対象となる灯火を観測することで作成することができる。なお、放射エネルギとしては、例えば光度や放射熱を挙げることができる。
そして、灯火の観測によって、灯火の色度と同一又は類似の色度を実現できる複数種類の発光色を決定するとともに、灯火の波長ごとの放射エネルギ変化の大きさ、変化前後の周波数、放射エネルギ変化が発生するタイミング（時間間隔）と変化の持続時間等のデータを収集する。
灯火の波長ごとの放射エネルギ変化やその周波数、時間間隔等のデータは、所定の波長（発光色に密接に関係する）の光とその光の放射エネルギ及び周波数を計測することで得ることができる。また、灯火の色度は、先に計測した灯火の分光放射エネルギ分布から判断することができる。
【００１８】
［実施例１］
以下、和蝋燭を例に挙げて、本発明の具体的な実施例を説明する。
本発明の発明者は、KONICA MINOLTA: Illuminance  meter T-10Mを使用して和蝋燭の光度の測定を行い、National
Instruments：NI cDAQ-9172、同社 NI
9215を使用して放射エネルギ変化のデータを収集した。また、CyberNet：MatLab上のFFT関数を用いて解析を行った。
その結果、和蝋燭の灯火の色度は、炎の最も内側に位置する青系又は緑系と、炎の最も外側に位置する赤系と、その中間に位置する黄系又は橙系の概ね三つ〜五つの発光色の組み合わせで実現することができた。そこで、この実施例では、発光体２１，２２，２３として、赤系、橙系、青系の三種類の発光色に合わせて三種類の発光体２１，２２，２３を準備し、発光体２１として赤系のものを，発光体２２として橙系のものを，発光体２３として青系のものを用いるものとした。
【００１９】
図３、図４、および、図５は、灯火の一例である和蝋燭の灯りを再現するための光度変化データの一例にかかり、図３は、和蝋燭のスペクトル（縦軸）と周波数（横軸（対数））との関係を示すグラフ、図４は、つぎに述べる変則状態で現れる、和蝋燭特有のゆらぎについて、スペクトル（縦軸）と周波数（横軸（線形））の関係を示すグラフ、図５は、和蝋燭の各発光色における光度（縦軸）と周波数（横軸）との関係を示すグラフである。
図３のグラフから、和蝋燭では、１０Ｈｚ前後のところに大きな光度変化があることがわかる。この周波数は、定則の状態でも現れているが、変則状態において顕著になる。
【００２０】
芯の近傍に位置する青系の炎は安定した燃焼であり、周波数と光度変化との間に関連はあまり認められない。中間に位置する黄系又は橙系の炎は、青系の安定性と低周波領域において赤系に類似する性質の両方を有している。
一方、赤系では、１０Ｈｚ前後の周波数帯において大きな光度の変化が見られる。
このことから、和蝋燭においては、１０Ｈｚ前後における赤系の周波数の変化に特徴があることがわかる。
【００２１】
また、和蝋燭では、その大きさにもよるが、灯明として用いられる一般的な大きさのもので、１０Ｈｚ前後の周波数の変化がおおよそ数十秒間隔、具体的には、３０秒〜５０秒の範囲を中心（コア）とする１０秒〜９０秒の範囲内の間隔で、数秒間（４秒〜５秒程度）持続される。
以上の結果から和蝋燭についての光度変化データを作成し、以下の表１のような条件とともに記憶部５に記憶させる。
【００２２】
【表１】
0005470617.tif 000002
【００２３】
この実施例における定則周波数発生部３及び変則周波数発生部４の作用を以下に説明する。
定則周波数発生部３では、上記表１のデータに基づいて、発光体２１，２２，２３のそれぞれに付与する周波数を発生させる。上記のデータによれば、赤系の発光体２１には２０Ｈｚの周波数、橙系の発光体２２には３０Ｈｚの周波数、青系の発光体２３には８５Ｈｚの周波数を割り当てる。
【００２４】
この実施例では、変則周波数発生部４で周波数を切り換えるのは赤系の発光体２１のみで、周波数を２０Ｈｚから１０Ｈｚに切り換える。切り換え後の周波数における発光体２１の明暗を示すエネルギの変化率は、概ねＭＡＸ／ＭＩＮ＝２．２５（内訳：ＭＡＸ／ＡＶＥ＝１．４９，ＭＩＮ／ＡＶＥ＝０．６６）前後である。
また、切り換えを行う時間間隔（図２の時間ｔ２，ｔ４，ｔ６・・・に相当する時間間隔）は、３０秒〜５０秒の範囲内でランダムに発生させたもので、１０Ｈｚの可視周波数の持続時間（図２の持続時間ｔ１，ｔ３，ｔ５・・・に相当する持続時間）は、４秒〜５秒の範囲でランダムに発生させたものである。
【００２５】
切換部６は、上記の光度変化データに従い、通常状態においては、定則周波数発生部３からのそれぞれの周波数が発光体２１，発光体２２及び発光体２３に送信されるようにする。また、変則周波数発生部４によって可視周波数への切り換えが行われたときは、回路を切り換えて変則周波数発生部４によって切り換えられた可視周波数を発光体２１に送信されるようにする。
【００２６】
［実施例２］
この実施例２では、定則周波数発生部３は、赤系の発光体２１に対して１〜２Ｈｚの周波数に１５Ｈｚの周波数を加えた混合周波数を割り当て、橙系の発光体２２に対して１〜２Ｈｚの周波数に３０Ｈｚの周波数を加えた混合周波数（第一の周波数）と８５Ｈｚの周波数（第二の周波数）の二種類の周波数を割り当てる。また、青系の発光体２３に対しては１２０Ｈｚの周波数を割り当てる。
【００２７】
変則周波数発生部４では、実施例１と同じ時間間隔及び同じ持続時間で、赤系の発光体２１の全部、及び第一の周波数を割り当てた橙系の発光体２２の全部に対して、１０Ｈｚに切り換えた周波数を割り当て、第二の周波数を割り当てた橙系の発光体２２に対して、１０Ｈｚの倍数周期の周波数を割り当てる。これは、図４に示す、和蝋燭の変則条件のゆらぎを模擬するものである。
このようにすることで、より実際の和蝋燭に近い照明を再現することができる。
【００２８】
［実施例３］
この実施例３では、定則周波数発生部３は、複数設けられた赤系の発光体２１の一部に対して７Ｈｚ〜１３Ｈｚの周波数を割り当てるとともに、残りの発光体２１に対して１〜２Ｈｚの周波数に１５Ｈｚの周波数を加えた混合周波数を割り当てる。橙系の発光体２２及び青系の発光体２３に対しては、先の実施例２と同じ周波数を割り当てる。また、変則周波数発生部４による変則の条件は、先の実施例２と同じとした。
この実施例では、赤系の発光体２１の一部に常時７Ｈｚ〜１３Ｈｚの周波数を割り当てることで、さらに実際の和蝋燭に近い照明を再現することができる。
【００２９】
本発明の好適な実施形態及び実施例について説明したが、本発明は上記の実施形態及び実施例に限定されるものではない。
例えば、上記の説明では灯火の明かりの再現を主目的としたが、放射エネルギ変化として放射熱の変化をデータ化するとともに照明装置にヒータ等の熱源を組み込み、前記データに基づいて前記ヒータの制御を行うことで、放射熱についても高度な再現が可能になる。
また、上記の説明で発光体はそれ自体が異なる発光色で発光するＬＥＤを用いるものとしたが、ＬＥＤと同様に波長選択性のある光源（たとえば、有機ELや蛍光ランプ）を用いることもできるし、電球など広い波長範囲に分光放射エネルギが分布する光源に色素や着色フィルムをかけることで異なる発光色を再現する発光体を用いることもできる。
さらに、上記の説明では、発光体２１，発光体２２又は発光体２３のそれぞれは、赤系（発光体２１）、黄系又は橙系（発光体２２）、青系又は緑系（発光体２３）といった単色の発光体で構成されているものとして説明したが、異なる発光色で発光する複数の発光体を組み合わせて、発光体２１，発光体２２又は発光体２３を構成するようにしてもよい。
【産業上の利用可能性】
【００３０】
本発明は、灯火であれば和蝋燭に限らず洋蝋燭、行灯、焚き火その他の灯火の灯りの再現にも適用が可能である。
【図面の簡単な説明】
【００３１】
【図１】（ａ）は、本発明の照明装置の一実施形態にかかり、その全体構成を説明するブロック図、（ｂ）は発光体の配置例を説明する平面図である。
【図２】定則周波数発生部３及び変則周波数発生部４の機能を説明するためのグラフである。
【図３】灯火としての和蝋燭の明かりを再現するための放射エネルギ変化データの一例にかかり、和蝋燭のスペクトル（縦軸）と周波数（横軸）の関係を示すグラフである。
【図４】灯火としての和蝋燭の明かりを再現するための放射エネルギ変化データの一例にかかり、特に、変則の状態での和蝋燭のスペクトル（縦軸）と周波数（横軸）の関係を取り出して示すグラフである。
【図５】灯火としての和蝋燭の明かりを再現するための放射エネルギ変化データの一例にかかり、各色のスペクトル（縦軸）と周波数（横軸）との関係を示すグラフである。
【符号の説明】
【００３２】
１ 照明装置
２１，２２，２３ 発光体
３ 定則周波数発生部
４ 変則周波数発生部
５ 記憶部
６ 切換部
【図１】
0005470617.tif 000003
【図２】
0005470617.tif 000004
【図３】
0005470617.tif 000005
【図４】
0005470617.tif 000006
【図５】
0005470617.tif 000007